(57)【要約】【課題】本発明はフェースラインのリフトアップに好適な美容方法及びこれに用いる美容用キットに関し、効率よくフェースラインのリフトアップを図ることを課題とする。【解決手段】顎及び／又は頬に20％以上30％以下の油分を含むクリーム状美容料を塗布するステップと、このクリーム状美容料が塗布された顎及び／又は頬に対してマッサージを行うステップと、マッサージの施術後に伸縮性を有する不織布を基材とし耳掛け部１２を有するマスク１０を用いて顎及び頬をリフトアップさせるステップとを有する。【選択図】  図４
2011136019.tif 000002
【特許請求の範囲】
【請求項１】
顎及び／又は頬にクリーム状美容料を塗布するステップと、
該クリーム状美容料が塗布された顎及び／又は頬に対してマッサージを行うステップと、
前記マッサージの施術後、耳掛け部を有するマスクを用いて顎及び頬をリフトアップさせるステップとを有することを特徴とする美容方法。
【請求項２】
前記クリーム状美容料は、20％以上30％以下の油分を含むこと特徴とする請求項１記載の美容方法。
【請求項３】
前記マスクは、伸縮性を有する不織布を基材とすることを特徴とする請求項１又は２記載の美容方法。
【請求項４】
前記マスクは、ポリアクリル酸系の水溶性ジェルが展膏されてなることを特徴とする請求項１乃至３のいずれか一項に記載の美容方法。
【請求項５】
伸縮性を有する不織布にポリアクリル酸系の水溶性ジェルが展膏されてなるマスクを含むことを特徴とする美容用キット。
【請求項６】
20％以上30％以下の油分を含むクリーム状美容料を更に含むことを特徴とする請求項５記載の美容用キット。
【請求項７】
前記不織布は、長手方向の長さが22.0cm以上24.0cm以下であり、短手方向の長さが8.0cm以上10.0cm以下であることを特徴とする美容用キット。
【請求項８】
前記不織部の長手方向の両側部に、長手方向の長さが2.5cm以上4.0cm以下であり、短手方向の長さが1.0cm以上2.0cm以下の耳掛け孔を形成してなることを特徴とする請求項５乃至７のいずれか一項に記載の美容用キット。
【発明の詳細な説明】
【技術分野】
【０００１】
本発明は美容方法及び美容用キットに係り、特にフェースラインのリフトアップに好適な美容方法及びこれに用いる美容用キットに関する。
【背景技術】
【０００２】
一般に、顔に施術する美容方法が種々提案されているが、その一つとしてフェースラインのリフトアップを図る美容方法が知られている。人の顔の皮膚及び筋肉組織は加齢に伴い張りや弾力が低下するため、これが顔の弛みや皺を発生させる原因となっている。
【０００３】
特に、顎や頬の近傍においては、この弛みや皺が発生し易い傾向にある。この顎や頬の近傍におけるフェースラインをリフトアップする方法として、美容マスクを用いる方法が提案されている（特許文献１，２参照）。
【０００４】
従来の美容マスクを用いたフェースラインをリフトアップする方法では、化粧液が塗布されたマスクを顎に当てると共に、マスクの両側部に設けられた耳掛けをマスクを引き上げながら耳に掛けることにより顎から頬を引き上げ、これによりフェースラインをリフトアップを図ることが行われていた。
【先行技術文献】
【特許文献】
【０００５】
【特許文献１】実用新案登録第３１２０５０２号
【特許文献２】特開２００５−０１３４８６号公報
【発明の概要】
【発明が解決しようとする課題】
【０００６】
上記の従来のマスクを用いた美容方法では、化粧液を顔に塗布した後にマスクを顔に装着するか、或いは化粧液が塗布されたマスクを顔に装着して顎及び頬を引き上げることが行われていた。しかしながら、この方法では顔に対するリフトアップ効果が十分でなく、また使用感も悪いという問題点があった。
【０００７】
本発明は上記の点に鑑みてなされたものであり、効率よくフェースラインのリフトアップを図れる美容方法及び美容用キットを提供することを目的とする。
【課題を解決するための手段】
【０００８】
上記の課題は、第１の観点からは、
顎及び／又は頬にクリーム状美容料を塗布するステップと、
該クリーム状美容料が塗布された顎及び／又は頬に対してマッサージを行うステップと、
前記マッサージの施術後、耳掛け部を有するマスクを用いて顎及び頬をリフトアップさせるステップとを有することを特徴とする美容方法により解決することができる。
【０００９】
上記の発明において、前記クリーム状美容料は、20％以上30％以下の油分を含むことが望ましい。
【００１０】
また上記発明において、前記マスクは伸縮性を有する不織布を基材とすることが望ましい。
【００１１】
また上記発明において、前記マスクはポリアクリル酸系の水溶性ジェルが展膏されてなることが望ましい。
【００１２】
また上記の課題は、第２の観点からは、
伸縮性を有する不織布にポリアクリル酸系の水溶性ジェルが展膏されてなるマスクを含むことを特徴とする美容用キットにより解決することができる。
【００１３】
また上記発明において、20％以上30％以下の油分を含むクリーム状美容料を更に含むことが望ましい。
【００１４】
また上記発明において、前記不織布は、長手方向の長さが22.0cm以上24.0cm以下であり、短手方向の長さが8.0cm以上11.0cm以下であることが望ましい。
【００１５】
また上記発明において、前記不織部の長手方向の両側部に、長手方向の長さが2.5cm以上4.0cm以下であり、短手方向の長さが1.0cm以上2.0cm以下の耳掛け孔を形成してなることが望ましい。
【発明の効果】
【００１６】
開示の美容方法及び美容用キットを用いることにより、フェースラインを有効にリフトアップすることができる。
【図面の簡単な説明】
【００１７】
【図１】図１は、本発明の一実施形態である美容方法を示す工程図である。
【図２】図２は本発明の一実施形態である美容方法を示す図であり、化粧料を塗布するステップを説明するための図である。
【図３】図３は本発明の一実施形態である美容方法を示す図であり、マッサージを行うステップを説明するための図である。
【図４】図４は本発明の一実施形態である美容方法を示す図であり、マスクを装着するステップを説明するための図である。
【図５】図５は、本発明の一実施形態である美容方法に用いるマスクの平面図である。
【図６】図６は、本発明の一実施形態である美容用キットを説明するための図である。
【図７】図７は、本発明の一実施形態である美容方法に用いるクリーム状美容料の組成の一例を示す図である。
【図８】図８、本発明の一実施形態である美容方法に用いるマスクに展膏する美容料の組成の一例を示す図である。
【図９】図９は、本発明の一実施形態である美容方法の施術後に実施した官能試験の結果を示す図である。
【図１０】図１０は、比較例１としてマスクのみを装着後に実施した官能試験の結果を示す図である。
【図１１】図１１は、比較例２として化粧料の塗布とマッサージの施術を実施した後に実施した官能試験の結果を示す図である。
【発明を実施するための形態】
【００１８】
次に、本発明の実施の形態について図面と共に説明する。
【００１９】
図１は、本発明の一実施形態である美容方法を示す工程図である。本実施形態に係る美容方法は、被施術者ＡＡ（美容方法が施される者）の顎や頬の近傍における弛みや皺の発生を抑制或いは是正するために実施されるものであり、顎や頬の近傍におけるフェースラインをリフトアップさせる処理を含む美容方法である。
【００２０】
本実施形態に係る美容方法では、図２に示すように、先ず被施術者ＡＡの顎及び／又は頬に対して化粧料の塗布を行う（ステップ１０）。この時に使用する化粧料は、保湿剤が10％以上20％以下で、油分が20％以上で30％以下のクリーム状化粧料を用いる。ここで、保湿剤を10％以上としたのは、肌に適度なうるおいを与え柔軟にするためであり、20％を超えるとマッサージを施術する際にべたつき感が生じてしまい使用感が低下するからである。
【００２１】
また、油分を20％以上としたのは、油分が20％未満であると後述するマッサージを施術するときに指に印加される摩擦が大きくなり、良好なマッサージを実施することができなくなるからである。また、油分を30％以下としたのは、油分が30％を超えるとマッサージを施術する際にべたつき感が生じてしまい使用感が低下するからである。
【００２２】
図７は、本実施形態で使用するクリーム状化粧料の組成を示している。同図に示すように、本実施形態で使用するクリーム状化粧料は保湿剤の含有量が13％となっており、また油分の含有量が27.5％となっている。よって、このクリーム状化粧料を用いることにより、マッサージの施術時に良好なマッサージを実施することができる。尚、クリーム状化粧料の組成は、図７に示すものに限定されるものではなく、上記した油分の条件の範囲内で適宜変更することが可能である。
【００２３】
上記の化粧料の塗布処理が終了すると、続いて被施術者ＡＡの顎及び／又は頬に対してマッサージを施術する（ステップ２０）。本実施形態に係る美容方法は、顎や頬の近傍におけるフェースラインをリフトアップさせることを目的としている。このため被施術者ＡＡに対して実施するマッサージは、図３に矢印で示すように、顎から耳の方向に向けて下から上へと実施する。この際、両手を交互に交差させながらマッサージを行うことにより、効率よくマッサージを行うことができる。
【００２４】
マッサージを実施することにより、フェースラインをリフトアップさせる一定機の効果を得ることができる。また、マッサージを施術することにより、顎及び／又は頬における血行が良好となり、肌の活性化を図ることができる。尚、マッサージの方向及び方法は、特に限定されるものではなく、フェースラインをリフトアップさせる効果があるマッサージ方法であれば、他のマッサージ方法を適用することも可能である。
【００２５】
上記のマッサージの施術が終了すると、続いて被施術者ＡＡに対してマスク１０が装着される。図４はマスク１０を装着した被施術者ＡＡを示しており、また図５はマスク１０を拡大して示している。
【００２６】
本実施形態に係るマスク１０は、マスク本体１１に耳掛け部１２、耳掛け穴１３、及び顎掛け部１４を形成した構成とされている。マスク本体１１は、伸縮性を有する不織布を基材としている。よって、マスク１０を装着することにより、顎及び頬は伸縮性を有するマスクにより上方に持ち上げられ、これによりフェースラインをリフトアップすることができる。
【００２７】
また、マスク本体１１の被施術者ＡＡの肌と接する領域には、ポリアクリル酸系の水溶性ジェル（ヒドロゲル）が展膏されている。この水溶性ジェルに添加する添加剤の具体的な組成を図８に示す。水溶性ジェルを図８に示す組成とすることにより、塗布した化粧料の保湿成分、油分の肌への浸透を図ることができる。
【００２８】
一方、マスク１０によりフェースラインを確実にリフトアップするには、マスク１０を被施術者ＡＡの顎及び頬に密着させ、上方向（具体的には耳に向かう方向）に向けて確実に顎及び頬をリフトアップする必要がある。このためには、マスク１０の形状を適正化することが重要である。そこで本実施形態に係るマスク１０は、各所の寸法を次のように設定した。
【００２９】
図５を用い、マスク１０の各所の寸法について説明する。尚、以下説明するマスク１０の各所の寸法は、マスク１０を装着する前の状態における寸法である。また、マスク１０の基材となる不織布としては、一般に市販されているシップ剤に適用されている不織布と同等の特性を有するもの、具体的には同等の伸縮性を有するものを基準とし、これについての寸法を特定した。
【００３０】
先ず、不織布よりなるマスク１０の長手方向（図中矢印Ｘで示す方向）の長さ（Ｌ１）は、22.0cm≦Ｌ１≦24.0cmとした。これは、Ｌ１＜22.0cmとすると、マスク１０と顎及び頬との接触面積が小さくなると共にマスク装着時に耳に強い引張り力が作用し装着感が悪化するからである。またＬ１＞24.0cmとすると、顎及び頬に対するリフトアップ力が小さくなり、フェースラインをリフトアップする効果が低減するからである。
【００３１】
また、マスク１０の短手方向（図中矢印Ｙで示す方向）の長さ（Ｗ１）は、8.0cm≦Ｗ１≦11.0cmとした。これは、Ｗ１＜8.0cmとすると、マスク１０を装着した際に顎及び頬に対してマスクが装着される面積が狭くなり、リフトアップ効果が低減すると共に装着感が不良となるからである。またＷ１＞11.0cmとすると、マスクを装着した際に顎掛け部１４が顎及び頬から外にはみ出してしまい、装着感が不良となるからである。
【００３２】
また、マスク本体１１の長手方向の両端部希望位置には、耳掛け穴１３が形成されている。この耳掛け穴１３の形状は、被施術者ＡＡの耳への装着性を考慮して、長手方向の長さ（Ｌ２）を2.5cm≦Ｌ２≦4.0cmに設定すると共に、短手方向の長さ（Ｗ２）を1.0cm≦Ｗ２≦2.0cmに設定した。
【００３３】
更に、この一対の耳掛け穴１３の離間距離（各耳掛け穴１３の中央位置間の距離）であるＬ３を15.0cm≦Ｌ３≦19.0cmに設定した。これは、Ｌ３＜15.0cmとするとマスク１０を装着した際に耳に強い引張り力が作用し装着感が悪化するからである。また、Ｌ３＞19.0cmとすると、装着時に十分なリフトアップ力が得られなくなるからである。
【００３４】
また、マスク１０の形状としては、マスク本体１１の図中上方が直線状な端面１１ａとされているのに対し、これと反対側の端面１１ｂは凹部が形成された掲示用とされている。これは、マスク本体１１の端面１１ａを直線状とすることにより、マスク１０を装着した際にこの上端面１１ａは顎及び頬を直線状に押し上げるため、強いリフトアップ力を発生させることができる。また、マスク本体１１の下部（装着した際に前側となる部位）に凹部を形成するよう端面１１ｂを形成したことにより、マスク１０の装着時に顎から前方にマスク本体１１が突出することがなくなり、使用性を高めることができる。
【００３５】
上記したマスク１０は、図６に示すように、密封容器であるマスク収納用包装体１７に収納された状態で販売される。この際、前記した美容方法で実施する化粧料の塗布ステップ（図１のステップ１０）で使用するクリーム状化粧料を装填したクリーム状美容液チューブ１６を用意し、このマスク収納用包装体１７とクリーム状美容液チューブ１６を透明容器１８等に入れて美容用キットとして販売する形態を取ることもできる。これにより、被施術者ＡＡはこの美容用キット１５を購入することにより、図１〜図４を用いて説明した本実施形態に係る美容方法を容易に実施することが可能となる。
【００３６】
次に、本実施形態に係る美容方法を施術したとき、被施術者がどのように感じたかを調べる官能評価を実施した。その結果を比較例と共に図９〜図１１に示す。
【００３７】
この図９〜図１１に示す官能評価は、１０人のパネラーに対して後述する各種美容方法を施術し、その結果をアンケートとして回答してもらい、これを纏めたものである。また、官能評価の項目は、「肌へ密着する」、「清涼感がある」、「リフトアップ感がある」、「使用後の肌がしっとりする」、「使用後の肌にハリを感じる」、「使用後の肌にべたつきを感じない」、「フェースラインが引き締まりそう」、「肌にハリが出そう」、「たるみにくい肌になりそう」の９項目とした。
【００３８】
更に、評価の分類としては、普通を「０」評価とし、「ややする」，「ややある」，「やや感じる」，「ややそう思う」を「１」評価とし、「する」，「ある」，「感じる」，「そう思う」を「２」評価とした。また、「あまりしない」，「あまりない」，「あまり感じない」，「あまり思わない」を「−１」評価とし、「しない」，「ない」，「感じない」，「そう思わない」を「−２」評価とした。更に、各図においてマスク１０の製品評価を「●」で示し、各パネラーが使用した際の嗜好評価（好きか、嫌いか）を「□」で示した。
【００３９】
図９は、本実施形態に係る美容方法（化粧料の塗布＋マッサージ＋マスク装着）を施術したときの官能評価の結果（以下、実施例という）を示している。
【００４０】
これに対し、図１０及び図１１は比較例となる官能評価の結果を示している。具体的には、図１０に示すのはマスク装着のみを行い、化粧料の塗布及びマッサージを施術しない化粧方法である場合の官能評価の結果（以下、比較例１という）を示している。更に、図１１に示すのは、化粧料の塗布及びマスクの装着のみを行い、マッサージを施術しない化粧方法である場合の官能評価の結果（以下、比較例２という）を示している。
【００４１】
先ず、図９に示す実施例と図１０に示す比較例１とを比較すると、実施例１は「使用後の肌にべたつきを感じない」の項目を除き、他の項目においては比較例１よりも良好な結果を得ている。ここで、「使用後の肌にべたつきを感じない」の項目において官能評価が低下しているのは、比較例１ではクリーム状化粧料を塗布していないため、クリーム状化粧料を塗布する実施例１に比べて「べたつき感」が増大しているからであると考えられる。
【００４２】
しかしながら他の官能評価については、他の全てにおいて実施例は比較例１に比べて良好な結果となっている。特に、「フェースラインが引き締まりそう」、「肌にハリが出そう」、「たるみにくい肌になりそう」の各項目においては、著しい効果の向上が見られた。
【００４３】
一方、図９に示す実施例と図１１に示す比較例２とを比較すると、実施例１は全ての項目においては比較例２よりも良好な結果を得ている。特に、「肌へ密着する」、「清涼感がある」、「使用後の肌にハリを感じる」、「使用後の肌にべたつきを感じない」、「フェースラインが引き締まりそう」、「肌にハリが出そう」、「たるみにくい肌になりそう」の各項目において、著しい効果の向上が見られた。
【００４４】
更に、「たるみにくい肌になりそう」の項目では、比較例１より比較例２の方が良好な効果を得ており、実施例では比較例２よりも更に良好な効果を得ている。これは、マッサージ効果（肌の柔軟効果）とマスクのリフトアップ効果の相乗効果によるものと考えられる。
【００４５】
以上説明した図９〜図１１に示す官能評価の実験結果から、化粧料の塗布、マッサージの施術、及びマスクの装着を行う本実施形態に係る美容方法を実施することにより、使用感覚が良好で、かつフェースラインのリフトアップを有効に行うことができることが立証された。
【００４６】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００４７】
１０  マスク
１１  マスク本体
１２  耳掛け部
１３  耳掛け穴
１４  顎掛け部
１５  美容用キット
１６  クリーム状美容液チューブ
１７  マスク収納用包装体
１８  透明容器
ＡＡ  被施術者
【図１】
2011136019.tif 000003
【図２】
2011136019.tif 000004
【図３】
2011136019.tif 000005
【図４】
2011136019.tif 000006
【図５】
2011136019.tif 000007
【図６】
2011136019.tif 000008
【図７】
2011136019.tif 000009
【図８】
2011136019.tif 000010
【図９】
2011136019.tif 000011
【図１０】
2011136019.tif 000012
【図１１】
2011136019.tif 000013
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
顎及び／又は頬にクリーム状美容料を塗布するステップと、
該クリーム状美容料が塗布された顎及び／又は頬に対してマッサージを行うステップと、
前記マッサージの施術後、耳掛け部を有するマスクを用いて顎及び頬をリフトアップさせるステップとを有する美容方法であって、
前記クリーム状美容料は、20％以上30％以下の油分と、10％以上20％以下の保湿剤を含み、
前記マスクは、伸縮性を有する不織布をマスク本体とし、顎及び／又は頬に対応する側の端面の耳掛け部間を直線状とすると共に他面にマスク装着時に顎から前方に前記マスク本体が突出するのを防止する凹部を形成し、かつ、ポリアクリル酸系の水溶性ジェルが展膏されてなることを特徴とする美容方法。
【請求項２】
マッサージを行う前に顎及び／又は頬に塗布されるクリーム状美容料と、
耳掛け部を有し、該マッサージ後に顎及び／又は頬に装着されることにより顎及び頬をリフトアップさせるマスクとを含む美容用キットであって、
前記クリーム状美容料は、20％以上30％以下の油分と、10％以上20％以下の保湿剤を含み、
前記マスクは、伸縮性を有する不織布をマスク本体とし、顎及び／又は頬に対応する側の端面の耳掛け部間を直線状とすると共に他面にマスク装着時に顎から前方に前記マスク本体が突出するのを防止する凹部が形成され、かつ、ポリアクリル酸系の水溶性ジェルが展膏されてなり、
前記不織布は、長手方向の長さを22.0cm以上24.0cm以下とすると共に短手方向の長さを8.0cm以上10.0cm以下とし、かつ、長手方向の両側部に長手方向の長さが2.5cm以上4.0cm以下であると共に短手方向の長さが1.0cm以上2.0cm以下の耳掛け孔を形成してなることを特徴とする美容用キット。
【手続補正２】
【補正対象書類名】明細書
【補正対象項目名】０００８
【補正方法】変更
【補正の内容】
【０００８】
上記の課題は、第１の観点からは、
顎及び／又は頬にクリーム状美容料を塗布するステップと、
該クリーム状美容料が塗布された顎及び／又は頬に対してマッサージを行うステップと、
前記マッサージの施術後、耳掛け部を有するマスクを用いて顎及び頬をリフトアップさせるステップとを有する美容方法であって、
前記クリーム状美容料は、20％以上30％以下の油分と、10％以上20％以下の保湿剤を含み、
前記マスクは、伸縮性を有する不織布をマスク本体とし、顎及び／又は頬に対応する側の端面の耳掛け部間を直線状とすると共に他面にマスク装着時に顎から前方に前記マスク本体が突出するのを防止する凹部を形成し、かつ、ポリアクリル酸系の水溶性ジェルが展膏されてなることを特徴とする美容方法により解決することができる。
また上記の課題は、第２の観点からは、
マッサージを行う前に顎及び／又は頬に塗布されるクリーム状美容料と、
耳掛け部を有し、該マッサージ後に顎及び／又は頬に装着されることにより顎及び頬をリフトアップさせるマスクとを含む美容用キットであって、
前記クリーム状美容料は、20％以上30％以下の油分と、10％以上20％以下の保湿剤を含み、
前記マスクは、伸縮性を有する不織布をマスク本体とし、顎及び／又は頬に対応する側の端面の耳掛け部間を直線状とすると共に他面に凹部が形成され、かつ、ポリアクリル酸系の水溶性ジェルが展膏されてなり、
前記不織布は、長手方向の長さを22.0cm以上24.0cm以下とすると共に短手方向の長さを8.0cm以上10.0cm以下とし、かつ、長手方向の両側部に長手方向の長さが2.5cm以上4.0cm以下であると共に短手方向の長さが1.0cm以上2.0cm以下の耳掛け孔を形成してなることを特徴とする美容用キットにより解決することができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００２４
【補正方法】変更
【補正の内容】
【００２４】
マッサージを実施することにより、フェースラインをリフトアップさせる効果を得ることができる。また、マッサージを施術することにより、顎及び／又は頬における血行が良好となり、肌の活性化を図ることができる。尚、マッサージの方向及び方法は、特に限定されるものではなく、フェースラインをリフトアップさせる効果があるマッサージ方法であれば、他のマッサージ方法を適用することも可能である。